(57)【要約】【課題】特定条件下においてプロジェクタ装置への指示をコンピュータ装置への指示に切り換えて制御することにより、操作の煩雑さを削減すること。【解決手段】コンピュータ装置からの映像を表示することが可能で、コンピュータ装置に接続された通信回線を通じて、コンピュータ装置に対する制御信号を送出可能なプロジェクタ装置において、プロジェクタの表示状態を判定する状態判定手段を備え、該状態判定手段に基づいてプロジェクタに対する制御入力を前記コンピュータ装置の制御信号に切り換える切換制御手段を備え、前記通信回線を介してコンピュータ装置に対し制御信号を送出する。【選択図】図１
2007004013.tif 000002
【特許請求の範囲】
【請求項１】
コンピュータ装置からの映像を表示することが可能で、コンピュータ装置に接続された通信回線を通じて、コンピュータ装置に対する制御信号を送出可能なプロジェクタ装置において、
プロジェクタの表示状態を判定する状態判定手段を備え、該状態判定手段に基づいてプロジェクタに対する制御入力を前記コンピュータ装置の制御信号に切り換える切換制御手段を備え、前記通信回線を介してコンピュータ装置に対し制御信号を送出することを特徴とするプロジェクタ装置。
【請求項２】
内蔵したコントロールパネルを有し、該コントロールパネルからの制御入力を、前記切換制御手段によって、外部接続されたコンピュータ制御に切り換えることを特徴とする請求項１記載のプロジェクタ装置。
【請求項３】
遠隔操作可能なリモートコントロール装置を有し、該リモートコントロール装置からの制御入力を、前記切換制御手段によって、外部接続されたコンピュータ制御に切り換えることを特徴とする請求項１記載のプロジェクタ装置。
【請求項４】
ポインタ表示機能を有し、ポインタ移動機能によってポインタ位置を移動可能で、ポインタ位置が特定条件となったときに、ポインタ移動制御入力を外部接続されたコンピュータ装置に対するスクロール制御信号に切り換えることを特徴とする請求項１〜３何れかに記載のプロジェクタ装置。
【請求項５】
ポインタ表示機能を有し、ポインタ移動機能によってポインタ位置を移動可能で、ポインタ位置が特定条件となったときに、ポインタ移動制御入力を外部接続されたコンピュータ装置に対するページ制御信号に切り換えることを特徴とする請求項１〜３の何れかに記載のプロジェクタ装置。
【請求項６】
前記切換制御手段は、プロジェクタに対する制御入力を外部接続されたコンピュータ装置の制御信号に切り換える切換制御手段の有効化・無効化を切り換えることが可能であることを特徴とする請求項１〜５の何れかに記載のプロジェクタ装置。
【発明の詳細な説明】
【技術分野】
【０００１】
本発明は、コンピュータ装置に繋がった表示装置、特にプロジェクタ装置に関するものであり、ユーザ操作効率の向上に関するものである。
【背景技術】
【０００２】
図１は一般的なプロジェクタ装置の構成図である。
【０００３】
図１において、１１６はプロジェクタ装置、１０３はランプ装置であり、液晶パネル装置１０２を照らす。液晶パネル装置１０２は、例えばＲ，Ｇ，Ｂの各色成分別の映像信号を表示する。表示された映像信号は、レンズ装置１０１によってフォーカスやズーム調整され、スクリーン（非図示）に映像を結像する。液晶パネル装置１０２には反射型や透過型があるが、本発明に関してはどちらの構成にしても良い。
【０００４】
１０４は安定した高電圧をコントロールし、ランプ装置１０３に電力供給するバラスト装置。１０５はその元となる電力を発生し、及びプロジェクタ装置１１６に電力供給する電源装置である。
【０００５】
１０６は液晶パネル装置１０２を制御する液晶パネルドライバであり、映像信号を２次元的に液晶パネル１０２上に構成する。
【０００６】
１１０はプロジェクタ装置１１６に入力された複数の映像信号から所望の映像を選択するセレクタ装置であり、一般にビデオ信号やコンポーネント信号、アナログＲＧＢ、デジタルＲＧＢ、その他の映像信号から１つを選択する。各映像信号は、選択される前に信号種によってそれぞれ必要とされる同期分離やアナログ−デジタル信号変換等をデコーダ装置１１１で行っておく。
【０００７】
セレクタ装置１１０によって選択された映像信号は、インターレース・プログレッシブ変換、フレームレート変換、解像度変換、アスペクト変換等の各種画像処理を画像処理装置１０８で行う。その際、必要に応じてワーク領域としてフレームメモリ１０９を使用する。画像処理された映像信号には画像合成装置１０７によってオンスクリーンディスプレイ（ＯＳＤ）表示が合成される。ＯＳＤ表示とは、映像信号に対し、メニューやポインタやメッセージを画像合成する装置である。その後、映像信号は、前記液晶パネルドライバ１０６によって液晶パネル装置１０２の画素に対応付けられて映像となる。
【０００８】
又、プロジェクタ装置１１６は、コンピュータと通信するための通信制御装置１１２を持ち、プロジェクタ装置１１６からコンピュータ装置１１８（上で動作するアプリケーションソフト）の制御、逆にコンピュータ装置１１８（上で動作するアプリケーションソフト）からプロジェクタ装置１１６の制御に使用される。通信制御装置１１２は、ＲＳ−２３２Ｃ、ＵＳＢ、ＩＥＥＥ１３９４、Ｅｔｈｅｒｎｅｔ等から構成することができる。
【０００９】
更に、プロジェクタ装置１１６にはリモコン装置１１７からの制御が可能で、リモコン受信装置１１３が受信した制御コードによってプロジェクタ装置１１６の制御が行われる。同様に本体に装備されたパネル入力装置１１９によっても操作が可能である。
【００１０】
以上の各装置は、システム制御装置１１４からの制御信号、データによってコントロールされる。システム制御装置１１４は、ＣＰＵ（演算装置）、ＲＡＭ、ＲＯＭ等から成るプログラム制御可能なプロセッサユニットであり、システムバスやＩ／Ｏ装置から成る内部回線１１５を介して各装置と繋がっている。
【００１１】
上記リモコン装置１１７の典型例として図２に模式図を示した。
【００１２】
図２のリモコン２０１は以下のような機能ボタンを持つ。
【００１３】
２０２はスクロールアップボタン、２０３はスクロールダウンボタンである。このスクロールボタン群は、図１のコンピュータ装置１１８上で動作するアプリケーションに対しスクロール処理を行わせるようにプロジェクタ装置に対して指示するものである。コンピュータ装置１１８側ではアプリケーションの動作に依存するが、一般にスクロール指示を受信すると１ページ単位又は半ページ単位でスクロール処理を行う。その様子を図３に示した。
【００１４】
図３（ａ）ではコンピュータ装置の画面にウィンドウＡ、ウィンドウＢ、ウィンドウＣからなる３つのウィンドウが表示されている状態を略表記したもので、ウィンドウＡにフォーカスが当たっている状態を示している。この状態で、プロジェクタ装置１１６からスクロールアップが指示されると、図３（ｂ）のようにスクロールする。ここでは半画面スクロール動作を示した。半画面同様一画面スクロールする設定も可能であるし、スクロールダウン指示の場合は、下向きにスクロール処理する。
【００１５】
２０４は１行下スクロールボタン、２０５は１行上スクロールボタンである。コンピュータ装置１１８に対しプロジェクタ装置１１６を経由して１行上（又は下）スクロールを行うよう指示するボタンである。
【００１６】
２０７はカーソルやマウスポインタの移動を指示するボタンである。上下左右の矢印ボタンはそれぞれの向きにカーソルやマウスポインタを移動させる。リモコン２０１から指示を受信したプロジェクタ装置１１６がコンピュータ装置１１８に対し、制御指示を送信する。
【００１７】
これらスクロール指示は、プロジェクタ装置１１６がコンピュータ装置１１８のキーボード端子やマウス端子に接続する構成ならば、通信制御装置１１２はキーボードやマウスの出すコードを生成すれば良い。通信制御装置１１２からコンピュータ装置１１８に送出されるキーコードの一具体例を図５に示した。
【００１８】
又、ＵＳＢ等の他の端子に接続する構成を採る場合には、コンピュータ装置１１８上で動作するドライバソフトを介在させ、通信制御装置１１２とコンピュータ装置１１８間でコードテーブルを取り決めておき、キーボードやマウスの操作が発生したとしてＯＳに処理させる。
【００１９】
２０６はプロジェクタ装置に装備されたポインタ機能を開始するボタンである。ポインタ機能とは、図４に示すように投影中の画面にポインタやスポットライト効果を合成するものである。ポインタやスポットライトの表示中は、矢印キー２０７の入力はポインタやスポットライトの移動指示となる。
【特許文献１】特開平０９−２８２０９７号公報
【発明の開示】
【発明が解決しようとする課題】
【００２０】
以上のようなプロジェクタ装置においては、パネル入力装置１１９やリモコン装置１１３からの入力がプロジェクタ装置１１６への指示であったり、又はコンピュータ装置１１８への指示であったりと、それぞれ独立した操作として定義されている。つまり、プロジェクタ装置のポインタを操作していても、表示内容の更新（つまり、スクロールやページ切り換え）が必要になった場合には、パネル装置やリモコン装置からコンピュータ装置にスクロール制御を行わせるべく、使用者が別操作ボタンを操作する必要があった。
【００２１】
以上の点に鑑み本発明は、特定条件下においてプロジェクタ装置への指示をコンピュータ装置への指示に切り換えて制御することにより、操作の煩雑さを削減することを目的とする。
【課題を解決するための手段】
【００２２】
上記目的を達成するため、請求項１記載の発明は、コンピュータ装置からの映像を表示することが可能で、コンピュータ装置に接続された通信回線を通じて、コンピュータ装置に対する制御信号を送出可能なプロジェクタ装置において、プロジェクタの表示状態を判定する状態判定手段を備え、該状態判定手段に基づいてプロジェクタに対する制御入力を前記コンピュータ装置の制御信号に切り換える切換制御手段を備え、前記通信回線を介してコンピュータ装置に対し制御信号を送出することを特徴とする。
【００２３】
請求項２記載の発明は、請求項１記載の発明において、内蔵したコントロールパネルを有し、該コントロールパネルからの制御入力を、前記切換制御手段によって、外部接続されたコンピュータ制御に切り換えることを特徴とする。
【００２４】
請求項３記載の発明は、請求項１記載の発明において、遠隔操作可能なリモートコントロール装置を有し、該リモートコントロール装置からの制御入力を、前記切換制御手段によって、外部接続されたコンピュータ制御に切り換えることを特徴とする。
【００２５】
請求項４記載の発明は、請求項１〜３の何れかに記載の発明において、ポインタ表示機能を有し、ポインタ移動機能によってポインタ位置を移動可能で、ポインタ位置が特定条件となったときに、ポインタ移動制御入力を外部接続されたコンピュータ装置に対するスクロール制御信号に切り換えることを特徴とする。
【００２６】
請求項５記載の発明は、請求項１〜３の何れかに記載の発明において、ポインタ表示機能を有し、ポインタ移動機能によってポインタ位置を移動可能で、ポインタ位置が特定条件となったときに、ポインタ移動制御入力を外部接続されたコンピュータ装置に対するページ制御信号に切り換えることを特徴とする。
【００２７】
請求項６記載の発明は、請求項１〜５の何れかに記載の発明において、前記切換制御手段は、プロジェクタに対する制御入力を外部接続されたコンピュータ装置の制御信号に切り換える切換制御手段の有効化・無効化を切り換えることが可能であることを特徴とする。
【発明の効果】
【００２８】
本発明によれば、プロジェクタ装置に対する制御を外部に接続されたコンピュータ装置の制御に関連付けることにより、操作を簡便化することが可能となる。
【発明を実施するための最良の形態】
【００２９】
以下に本発明の実施の形態を添付図面に基づいて説明する。
【００３０】
＜実施の形態１＞
図６及び図８は請求項１〜４及び請求項６に係る発明の概略説明図である。
【００３１】
図８は従来例の図７に代わるものであり、即ち方向キーが入力された時の処理を示している。方向キー以外の処理は従来例の図６と同様である。
【００３２】
図６はリモコン装置１１７又はパネル入力装置１１９からのキー入力処理について示している。
【００３３】
以下、図８を参照しながら説明する。
【００３４】
Ｓ８０１はプロジェクタ装置１１６がポインタを表示中か判定し、ポインタ表示中でない場合はＳ８０２でコンピュータ装置１１８側のマウスカーソルを移動させる指示を送出する。
【００３５】
Ｓ８０１でポインタ表示中の場合は、Ｓ８０３で本発明の機能が有効化されているか判断し、無効化されている場合はＳ８０８へ移る。有効化されている場合は、Ｓ８０４において、表示しているポインタが画面のどこに存在しているかを識別し、より上方向へ移動できない上辺近辺（以下、略上端）に存在すると判断した場合、Ｓ８０５でコンピュータ装置１１８へ１行下スクロール指示を送信する。つまり、ポインタが上に移動できない代わりに、表示内容を下方向に移動させ、相対的にポインタが上方向に移動した効果を出す。
【００３６】
又、Ｓ８０４でポインタが略上端にない場合はＳ８０６でこれより下方向に移動できない下辺近辺（以下、略下端）に位置していると判断した場合は、Ｓ８０７でコンピュータ装置１１８に対し、上方向スクロール指示を出す。これにより、先と同様に相対的にポインタを下に移動させた効果を出す。
【００３７】
ポインタが略上端、又は略下端にない場合は、方向キーの入力に応じてその方向へ表示中ポインタを移動させる（Ｓ８０８）。
【００３８】
次に、図１０を用いて効果を視覚的に説明する。
【００３９】
図１０において、（ａ）は矢印型のポインタが略下端に突き当たった状態を示している。この状態から、リモコン装置１１７又はパネル入力装置１１９により下方向へのポインタ移動指示が入力されると、下方向への移動ができないことを検出すると、コンピュータ側に上スクロール指示を出し、図１０（ｂ）に示したようにウィンドウの表示内容を上方向にスクロールさせる（図８におけるＳ８０１→Ｓ８０３→Ｓ８０６→Ｓ８０７）。ポインタが略上端にある場合での上方向キー入力は逆の動作を行う。
【００４０】
＜実施の形態２＞
図６及び図９は請求項１〜３及び請求項５，６６に係る発明の概略説明図である。
【００４１】
図９は従来例の図７に代わるものであり、即ち方向キーが入力された時の処理を示している。方向キー以外の処理は図６と同様である。
【００４２】
図６はリモコン装置１１７又はパネル入力装置１１９からのキー入力処理について示している。
【００４３】
以下、図９を参照しながら説明する。
【００４４】
Ｓ９０１はプロジェクタ装置１１６がポインタを表示中か判定し、ポインタ表示中でない場合はＳ９０２でコンピュータ装置１１６側のマウスカーソルを移動させる指示を送出する。
【００４５】
Ｓ９０１でポインタ表示中の場合は、Ｓ９０３で本発明の機能が有効化されているか判断し、無効化されている場合はＳ９１０へ移る。有効化されている場合は、Ｓ９０４において、表示しているポインタが画面のどこに存在しているかを識別し、より上方向へ移動できない上辺近辺（以下、略上端）に存在すると判断した場合、Ｓ９０５でコンピュータへ１ページスクロール指示を送信する。その直後Ｓ９０６でプロジェクタ装置１１６が表示中のポインタ位置を略上端から下方向に移動させる。つまり、表示内容がページ単位で下方向に移動したことになるが、表示内容の連続性を考えた場合、ポインタを下方向に移動させるとポインタ表示位置と表示内容の追従が保たれたことになる。
【００４６】
又、Ｓ９０４でポインタが略上端にない場合はＳ９０７でこれより下方向に移動できない下辺近辺（以下、略下端）に位置していると判断した場合は、Ｓ９０８でコンピュータ装置に対し、上方向スクロール指示を出す。続けてＳ９０９でプロジェクタ装置１１６が表示中のポインタ位置を略下端から略上端に移動させる。これにより、先と同様にページ切替をまたいでもポインタ表示は表示内容に連続的に追従していることになる。
【００４７】
ポインタが略上端又は略下端にない場合は、方向キーの入力に応じてその方向へ表示中ポインタを移動させる（Ｓ９１０）。
【図面の簡単な説明】
【００４８】
【図１】本発明に係るプロジェクタ装置の概略を示した図である。
【図２】リモコン装置の典型的な機能を示した図である。
【図３】コンピュータ装置上のウィンドウ表示の典型例を示した図である。
【図４】プロジェクタ装置の表示するポインタの例を示した図である。
【図５】プロジェクタ装置がキーボードやマウスをエミュレーションする場合のコード表である。
【図６】従来のプロジェクタ装置におけるコンピュータ装置との関係をフローチャートで示した図である。
【図７】従来のプロジェクタ装置における方向キー入力に対する処理をフローチャートで示した図である。
【図８】本発明の実施の形態１に係る処理をフローチャートで示した図である。
【図９】本発明の実施の形態２に係る処理をフローチャートで示した図である。
【図１０】本発明の実施の形態１の効果を視覚的に示した図である。
【符号の説明】
【００４９】
１０１    レンズ装置
１０２    液晶パネル装置
１０３    ランプ装置
１０４    バラスト装置
１０５    電源装置
１０６    液晶パネルドライバ装置
１０７    画像合成装置
１０８    画像処理装置
１０９    フレームメモリ
１１０    セレクタ装置
１１１    デコーダ装置
１１２    通信制御装置
１１３    リモコン受信装置
１１４    システム制御装置
１１５    内部回線
１１６    プロジェクタ装置
１１７    リモコン装置
１１８    コンピュータ装置
１１９    パネル入力装置
【図１】
2007004013.tif 000003
【図２】
2007004013.tif 000004
【図３】
2007004013.tif 000005
【図４】
2007004013.tif 000006
【図５】
2007004013.tif 000007
【図６】
2007004013.tif 000008
【図７】
2007004013.tif 000009
【図８】
2007004013.tif 000010
【図９】
2007004013.tif 000011
【図１０】
2007004013.tif 000012